(57)【要約】【課題】不的中投票であっても、顧客が空疎感を懐くことなく更に興味がそそられて競技に希望を見い出すことができ、しかも、その興味を増大させることができる不的中投票のサービスポイント精算システムを提供すること。【解決手段】公営競技などにおいて、顧客が投票して不的中となった投票の、票数または金額に応じてサービスポイントが付与され、このサービスポイントを精算するシステムであって、不的中投票をサービスポイントに換算する換算手段１と；このサービスポイントのデータが記憶されるホストコンピュータ２とを含んで構成されており、このホストコンピュータ２は、データベース構築手段２１、メモリ手段２２、参照手段２３、精算処理手段２４を備え、当該ホストコンピュータ２に配設された精算処理手段２４によって、各顧客毎に整理された蓄積ポイントデータベースのデータに処理が為されてメモリ手段２２に記憶するという技術的手段を採用した。【選択図】  図１
2004178484.tif 000002
【特許請求の範囲】
【請求項１】
公営競技などにおいて、顧客が投票して不的中となった投票の、票数または金額に応じてサービスポイントが付与され、このサービスポイントを精算するシステムであって、
不的中投票をサービスポイントに換算する換算手段１と；このサービスポイントのデータが記憶されるホストコンピュータ２とを含んで構成されており、
このホストコンピュータ２は、データベース構築手段２１、メモリ手段２２、参照手段２３、精算処理手段２４を備え、
当該ホストコンピュータ２において、全顧客のサービスポイントのデータは、データベース構築手段２１によって各顧客毎に整理された蓄積ポイントデータベースに構築されてメモリ手段２２に記憶され、かつ、このメモリ手段２２に記憶されたデータを参照できる参照手段２３が配設されており、顧客の蓄積ポイントおよび順位を検索することができる一方、
ホストコンピュータ２に配設された精算処理手段２４によって、前記蓄積ポイントデータベースから蓄積ポイントの多い上位ｎ個のデータが抽出されるとともに、ｎ番目の蓄積ポイント数量が精算ポイントＰとして設定され、抽出された上位ｎ番目までの顧客は当期に精算することができ、この精算ポイントＰに応じた対価物Ｖが支払われることによって蓄積ポイントが精算され、
当期精算時を迎えた場合の蓄積ポイント数量が、精算ポイントＰ未満であった各顧客の蓄積ポイントは、この蓄積ポイント数量がそのまま次期に繰り越されて、かつ、精算ポイントＰ以上であった顧客の蓄積ポイントは、この蓄積ポイントから前記精算ポイントＰを減じたポイント数量が次期に繰り越されてメモリ手段２２に記憶されることを特徴とする不的中投票のサービスポイント精算システム。
【請求項２】
顧客の投票が磁気カード投票券であったとき、この磁気カード投票券を挿入可能な投票券識別機３が設けられており、
この投票券識別機３は、磁気カード投票券が不的中であるかを識別する識別手段３１と；挿入された投票券が不的中であったときに、当該不的中投票券を回収廃棄する廃棄手段３２とを備えており、
当該不的中投票券に記録された不的中投票を換算手段１によってサービスポイントに換算してホストコンピュータ２に通信可能であることを特徴とする請求項１記載の不的中投票のサービスポイント精算システム。
【請求項３】
投票券識別機３に挿入された投票券に的中投票が含まれているときは、不的中投票のみを処理して、投票券が返却されることを特徴とする請求項２記載の不的中投票のサービスポイント精算システム。
【請求項４】
顧客が主催者サーバなどに通信回線を使用して投票した電子投票による不的中投票データが、ホストコンピュータ２に通信可能であることを特徴とする請求項１記載の不的中投票のサービスポイント精算システム。
【請求項５】
サービスポイントはリーダライタ装置４によって各顧客が所持するデータキャリアＤにリードライト可能であって、かつ、当該リーダライタ装置４からサービスポイントのデータや顧客ＩＤデータなどをホストコンピュータ２に通信可能に構成されていることを特徴とする請求項１〜４の何れか一つに記載の不的中投票のサービスポイント精算システム。
【発明の詳細な説明】
【０００１】
【発明の属する技術分野】
本発明は、公営競技など（民営を含む、以下同じ）の不的中投票の処理システムの改良、更に詳しくは、不的中投票であっても、顧客が空疎感を懐くことなく更に興味がそそられて競技に希望を見い出すことができ、しかも、その興味を増大させることができる不的中投票のサービスポイント精算システムに関するものである。
【０００２】
【従来の技術】
周知のとおり、競馬や競輪、競艇、オートレースなどの公営競技には、関連産業やスポーツの振興、大衆娯楽などの役割がある。また、その売上の収益金は自治体の財政源として非常に重要である。
【０００３】
しかしながら、近年の長引く不況によって、かかる公営競技の売上が減少傾向にあり、特に、財政源の大部分を占める地方自治体にあっては、その影響が非常に大きく深刻な問題である。
【０００４】
そして、近年では、投票方式を多様化させることによって売上の増収を目指しており、例えば、遠隔地においても投票ができる電話投票やインターネット投票も行われるようになった。
【０００５】
ところが、現在でも売場で直接発売されるのは磁気カードの投票券であって、競技場や場外投票券売場の近隣にあっては、マナーの悪い者によって不的中投票券が足元や道端に無造作に投げ捨てられて散乱し、景観が損なわれるとともに、その清掃作業にも多額な費用がかかってしまうという問題があった。
【０００６】
そこで、従来、公営競技における不的中投票券を回収し、その回収した投票券に対してポイントを付与するという装置が開示されている（特許文献１および２参照）。
【０００７】
しかしながら、これらの何れの発明も、ポイントを付与することにより、不的中投票券に付加価値を与えるという技術は開示されているものの、単純にポイントを集めるというだけであってゲーム性や僥倖性に乏しく、エンターテイメントの延長としての面白みに欠け、売上の増収に寄与する具体的対策は見出せない。
【０００８】
【特許文献１】
特開２００１−５２０９４号公報  （第２、３頁、第１、４図）
【特許文献２】
特開２００２−３２４２５８号公報  （第２、３頁、第１、２図）
【０００９】
【発明が解決しようとする課題】
本発明は、上記のような問題があったことに鑑みて為されたものであり、不的中投票であっても、顧客が空疎感を懐くことなく更に興味がそそられて競技に希望を見い出すことができ、しかも、その興味を増大させることができる不的中投票のサービスポイント精算システムを提供することを技術的課題とする。
【００１０】
【課題を解決するための手段】
本発明者が上記課題を解決するために採用した手段を添付図面を参照して説明すれば次のとおりである。
【００１１】
即ち、本発明は、公営競技などにおいて、顧客が投票して不的中となった投票の、票数または金額に応じてサービスポイントが付与され、このサービスポイントを精算するシステムであって、
不的中投票をサービスポイントに換算する換算手段１と；このサービスポイントのデータが記憶されるホストコンピュータ２とを含んで構成されており、
このホストコンピュータ２は、データベース構築手段２１、メモリ手段２２、参照手段２３、精算処理手段２４を備え、当該ホストコンピュータ２において、全顧客のサービスポイントのデータは、データベース構築手段２１によって各顧客毎に整理された蓄積ポイントデータベースに構築されてメモリ手段２２に記憶され、かつ、このメモリ手段２２に記憶されたデータを参照できる参照手段２３が配設されており、顧客の蓄積ポイントおよび順位を検索することができる一方、
ホストコンピュータ２に配設された精算処理手段２４によって、前記蓄積ポイントデータベースから蓄積ポイントの多い上位ｎ個のデータが抽出されるとともに、ｎ番目の蓄積ポイント数量が精算ポイントＰとして設定され、抽出された上位ｎ番目までの顧客は当期に精算することができ、この精算ポイントＰに応じた対価物Ｖが支払われることによって蓄積ポイントが精算され、
当期精算時を迎えた場合の蓄積ポイント数量が、精算ポイントＰ未満であった各顧客の蓄積ポイントは、この蓄積ポイント数量がそのまま次期に繰り越されて、かつ、精算ポイントＰ以上であった顧客の蓄積ポイントは、この蓄積ポイントから前記精算ポイントＰを減じたポイント数量が次期に繰り越されてメモリ手段２２に記憶するという技術的手段を採用した。
【００１２】
また、本発明は、上記課題を解決するために、必要に応じて上記手段に加え、顧客の投票が磁気カード投票券であったとき、この磁気カード投票券を挿入可能な投票券識別機３が設けられており、
この投票券識別機３は、磁気カード投票券が不的中であるかを識別する識別手段３１と；挿入された投票券が不的中であったときに、当該不的中投票券を回収廃棄する廃棄手段３２とを備えており、
当該不的中投票券に記録された不的中投票を換算手段１によってサービスポイントに換算してホストコンピュータ２に通信可能にするという技術的手段を採用した。
【００１３】
更にまた、本発明は、上記課題を解決するために、必要に応じて上記手段に加え、投票券識別機３に挿入された投票券に的中投票が含まれているときは、不的中投票のみを処理して、投票券が返却されるようにするという技術的手段を採用した。
【００１４】
更にまた、本発明は、上記課題を解決するために、必要に応じて上記手段に加え、顧客が主催者サーバなどに通信回線を使用して投票した電子投票による不的中投票データを、ホストコンピュータ２に通信可能にするという技術的手段を採用した。
【００１５】
更にまた、本発明は、上記課題を解決するために、必要に応じて上記手段に加え、サービスポイントはリーダライタ装置４によって各顧客が所持するデータキャリアＤにリードライト可能であって、かつ、当該リーダライタ装置４からサービスポイントのデータや顧客ＩＤデータなどをホストコンピュータ２に通信可能に構成するという技術的手段を採用した。
【００１６】
【発明の実施の形態】
本発明の実施形態を具体的に図示した図面に基いて更に詳細に説明すると次のとおりである。
【００１７】
本発明の実施形態を図１から図３に基いて説明する。図中、符号１で指示するものは換算手段であり、この換算手段１は不的中投票をサービスポイントに換算するものである。
【００１８】
また、符号２で指示するものはホストコンピュータであり、このホストコンピュータ２はサービスポイントのデータを記憶することができ、本実施形態では、データベース構築手段２１、メモリ手段２２、参照手段２３、精算処理手段２４が配設されている。
【００１９】
更にまた、図中、符号３で指示するものは投票券識別機であり、この投票券識別機３は、顧客の投票が磁気カード投票券であったとき、この磁気カード投票券を挿入可能であって、磁気カード投票券が不的中であるかを識別する識別手段３１と；挿入された投票券が不的中であったときに、当該不的中投票券を回収廃棄する廃棄手段３２とを備えており、
当該不的中投票券に記録された不的中投票を換算手段１によってサービスポイントに換算してホストコンピュータ２に通信可能に構成されている。
【００２０】
なお、近年では、投票方式も多様化し、例えば、遠隔地においても投票ができる電話投票やインターネット投票も行われるようになったことから、顧客が主催者サーバなどに通信回線を使用して投票した電子投票による不的中投票データをホストコンピュータ２に通信可能に構成することができる。
【００２１】
次に、本実施形態のシステムにおいては、図１中に符号４で指示するリーダライタ装置を使用することができる。このリーダライタ装置４は前記サービスポイントを各顧客が所持するデータキャリアＤ（磁気カード、ＩＣチップなど）にリードライトする装置である。
【００２２】
そして、サービスポイントはリーダライタ装置４によって各顧客が所持するデータキャリアＤにリードライト可能であって、かつ、当該リーダライタ装置４からサービスポイントのデータや顧客ＩＤデータなどをホストコンピュータ２に通信可能に構成されている。
【００２３】
〔システム運用例〕
しかして、本実施形態のシステムを運用する場合を図２に示すフロー図のステップに基いて以下に説明する。
【００２４】
まず、顧客が購入した全投票のうち、不的中投票を換算手段１によってサービスポイントに換算する（ステップ〔１〕）。例えば、不的中投票１０枚（１枚を１０円とすると、１００円）につき１ポイントのサービスポイントに換算する。この際、対象となる投票は、売場で直接発売される磁気カードの投票券の他に、電話投票やインターネット投票であっても良い。
【００２５】
ここで、顧客の投票が磁気カード投票券であった場合は、まず、この磁気カード投票券を投票券識別機３に挿入し、識別手段３１によって磁気カード投票券が不的中であるかを識別する（ステップ〔Ｋ１〕）。そして、挿入された投票券が不的中であったときは、廃棄手段３２（例えば、回収ボックスやシュレッダーなど）によって当該不的中投票券を回収廃棄する。この際、シュレッダーで粉砕処理することにより、投票券の不正な再使用を防止することができる。
【００２６】
一方、的中投票を含んでいるときは、不的中投票のみを処理し、投票券が返却され（ステップ〔Ｋ２〕）、その返却された投票券の的中投票の分については所定の払戻し手続きによって、払戻しを受けることができる。
【００２７】
そして、リーダライタ装置３によってこのサービスポイントを各顧客が所持するデータキャリアＤに書き込み（ステップ〔２〕）、データキャリアＤから読み出した顧客データ（氏名や住所などを登録することができる）および蓄積ポイントをホストコンピュータ２に送信する（ステップ〔３〕）。
【００２８】
この際、必要に応じて、ホストコンピュータ２にはバッファリングにより演算処理速度を高速化する緩衝記憶装置を配設することができ、大量のデータ処理を要する場合でも迅速に対応することができる。
【００２９】
そして、データベース構築手段２１によって各顧客毎に整理されて蓄積ポイントデータベースが構築されてメモリ手段２２に記憶される（ステップ〔４〕）。ま
た、蓄積ポイントの多い順番に整理することを主として、顧客データやサービスポイントが加算された日付を管理することもできる。
【００３０】
こうして、精算日を迎えるまでは、サービスポイントが次々と蓄積されていく一方、精算日を迎えた場合は（ステップ〔５〕）、精算処理手段２４によって蓄積ポイントデータベースから上位ｎ個のデータを抽出する（ステップ〔６〕）。本実施形態では、ｎ＝５０として、上位者５０名を抽出するものとする。
【００３１】
この際、ｎ番目の蓄積ポイントが精算ポイントＰとして設定される。そして、図３に示すように、蓄積ポイントを上位者から順番に並べ、３５ｐ（ポイント）を筆頭に、３３ｐ、３２ｐ…、４９番目が２４ｐ、５０番目が２１ｐで、５１番目の蓄積ポイントが２０ｐであったとすると、ｎ＝５０と設定した場合、２１ｐを精算ポイントＰとする（ステップ〔７〕）。この精算ポイントＰは、上位ｎ個という設定によって変動させることができるので、次期の精算ポイントが同じ数値になるとは限らない。
【００３２】
そして、上位ｎ番目までの顧客は今期に精算することができ、精算ポイントＰに応じて対価物Ｖが支払われる。この対価物Ｖとしては、ポイント数量に応じた金券などであっても良いし、物品の景品であっても良い。また、精算ポイント未満であって今期に精算できなかった顧客の蓄積ポイントはそのまま次期に繰り越される（ステップ〔９〕）。
【００３３】
今期に精算を受けた上位者の蓄積ポイントは、今期の蓄積ポイントから精算ポイントを減じて次期に繰り越される（ステップ〔１０〕）。そして、こうして精算された蓄積ポイントがホストコンピュータ２のメモリ手段２２に記憶され、次期に入る（ステップ〔１１〕）。
【００３４】
本実施形態のシステムを運用するにあたっては、ホストコンピュータ２のメモリ手段２２に記憶されたデータが参照できる参照手段２３を配設することができ、顧客の蓄積ポイントおよび順位を検索することができるように構成することによって、今期の精算権利を獲得しようと上位を目指すように促進することができる。
【００３５】
本実施形態におけるシステム運用の変形例として、ホストコンピュータ２をインターネットサーバーに接続し、インターネットを使用してホームページ上で蓄積ポイントおよび順位を検索することができるようにすることもでき、家庭のパソコン端末からでも気軽にアクセスすることができる。また、携帯電話などの携帯式データ通信機器を使用して音声案内やプッシュ信号によりホストコンピュータ２のメモリ手段２２に記憶された蓄積ポイントおよび順位を検索することができるようにして、最新の情報を即座に入手することができる。
【００３６】
また、必要に応じて、顧客の蓄積ポイントデータおよび順位データを、定期的または不定期的に予め登録された顧客送信先に自動的に電子メール配信することもでき、顧客は自分の順位動向を逐次知ることができると共に、広告やイベント情報なども併せて配信することも可能である。
【００３７】
更にまた、（ステップ〔６〕）において、ホストコンピュータ２に配設された精算処理手段２４によって、蓄積ポイントデータベースの登録者のうち、特定順位のデータを抽出するとともに、この抽出された特定順位の顧客に賞品が支払われるようにすることができ、例えば、ある顧客にとっては順位が上位でなくとも、１００位などのキリがいいものや７７７位などのゾロ目などの特定順位として設定し、当選対象にすることができるので、どの順位であっても当選に対する楽しみがあり、参加価値を大いに高めることができる。
【００３８】
更にまた、複数のホストコンピュータ２・２…を統合サーバーに接続して、ホストコンピュータ２間のサービスポイントを相互に交換可能にすることにより、システム運用の規模が大きくなったり、複数の公営競技主催者が共同事業を行う場合や、一般店舗（百貨店やスーパーマーケット、コンビニエンスストアなど）の商品購入における売上ポイントサービスとの併合運用などにも対応することができ、異業種交流を含め、各商工団体や経済連合団体との連繋によって、大規模なシステム運用を展開することができる。
【００３９】
また、検索者または蓄積ポイント上位者のみのデータを検索可能に構成することもでき、他の顧客の氏名を非公開にしてプライバシーなどを保護することができる。また、相対的な順位を知ることによって、上位者層の精算ポイント付近では、今期の精算を目標にするか、次期の精算を目標とするかによって顧客の目標に合わせることができる。この際、例えば、景品の品目や金券の種類などの毎期精算内容を変更してゆくことにより、顧客側の楽しみを増やすことができる。
【００４０】
更にまた、例えば、今期に蓄積ポイントを精算された顧客（上位者）は、一階層上位のシステムとして定義されたホストコンピュータ２にも登録されるようにすることができ、その場合、精算された前期のシステム内においても次期に蓄積ポイントが繰り越されると共に、今期にクリアした階層での参加登録も継続される。
【００４１】
そして、一階層上位のシステムも同様に構成することができるが、精算する景品の価値や、精算ポイントの還元率などに関して、条件を更に有利にすることによって、顧客が現段階をクリアする意欲を刺戟するので、結果的に売上の促進につなげることができるのである。
【００４２】
本発明は概ね上記のように構成されるが、本発明は図示の実施形態に限定されるものでは決してなく、「特許請求の範囲」の記載内において種々の変更が可能であって、例えば、換算手段１によるポイント換算レートは自由に設定することができる。また、蓄積ポイントデータベースから抽出する上位者の抽出数ｎは５０個に限らず、他の個数でも良いし、全顧客数の上位数％などの割合によってｎを定めて抽出しても良く、何れのものも本発明の技術的範囲に属する。
【００４３】
【発明の効果】
以上、実施形態をもって説明したとおり、本発明においては、顧客が購入したつて不的中投票を、換算手段によってサービスポイントに換算して蓄積し、上位者の蓄積ポイントは精算されて、その精算ポイントに応じた対価物を支払うことによって顧客に還元することができる。
【００４４】
また、顧客のうち蓄積ポイントの上位者のみに精算処理を行うことによって、顧客にとっても投票に対する意欲を刺戟することができ、公営競技の投票売上を促進する上で頗る有効である。また、本発明のシステムは、設備費や運用コストも安価で簡単に実行できる。
【００４５】
更にまた、不的中投票であっても、顧客が空疎感を懐くことなく更に興味がそそられて競技に希望を見い出すことができ、しかも、その興味を増大させることができることから、顧客の不的中投票券の投げ捨てを防止して周辺美化を実現することもできる。また、売上の増加を促進し、延いては、自治体財政源を増収ならしめることもできるのでから、実用的利用価値は頗る高いものがある。
【図面の簡単な説明】
【図１】本発明の実施形態のシステムを表わす運用説明図である。
【図２】本発明の実施形態のシステムを運用する場合のフロー図である。
【図３】本発明の実施形態のシステムにおける精算処理例を表わす説明図である。
【符号の説明】
１    換算手段
２    ホストコンピュータ
２１  データベース構築手段
２２  メモリ手段
２３  参照手段
２４  精算処理手段
３    投票券識別機
３１  識別手段
３２  廃棄手段
４    リーダライタ装置
Ｄ    データキャリア
Ｐ    精算ポイント
Ｖ    対価物
【図１】
2004178484.tif 000003
【図２】
2004178484.tif 000004
【図３】
2004178484.tif 000005